(57)【要約】【課題】少ないスペース、かつ簡単な構成で清掃部材の破損や変形を防止することにより、清掃部材の長寿命化を図ることができるとともに、長期に渡って安定した清掃効果を得ることができる帯電器の清掃装置を提供することを目的とする。【解決手段】シールドケース１０の底板部１８には、清掃装置１４を移動させるための長孔１９が形成されている。又、長孔１９は、放電用ワイヤ１３の張架方向Ｘに直交するシールドケース１０の短手方向Ｙにおいて、所定の角度、傾けて形成されている。従って、清掃装置１４を長孔１９に沿って往復移動させると、放電用ワイヤ１３に当接する清掃パッド１５ａ、１５ｂが、短手方向Ｙにおいて、放電用ワイヤ１３の張架方向Ｘに対して斜めに移動することになるため、放電用ワイヤ１３と清掃パッド１５ａ、１５ｂの当接位置が変化する。【選択図】  図６
2005234022.tif 000002
【特許請求の範囲】
【請求項１】
帯電器のシールドケースに張架された放電用ワイヤと当接し、往復移動により前記放電用ワイヤを清掃する清掃部材を備える帯電器の清掃装置において、
前記清掃部材を、前記放電用ワイヤの張架方向に対して斜め方向に往復移動させることを特徴とする帯電器の清掃装置。
【請求項２】
前記清掃部材の移動方向は、前記シールドケースの底面と略平行な面内に設定されていることを特徴とする請求項１に記載の帯電器の清掃装置。
【請求項３】
前記清掃部材を往復移動させるための移動部材を更に備えるとともに、前記シールドケースには、前記移動部材をガイドするための開口部が、前記放電用ワイヤの張架方向に直交する前記シールドケースの短手方向において所定の角度傾けて形成されており、前記清掃部材を前記開口部に沿って往復移動させることを特徴とする請求項１又は請求項２に記載の帯電器の清掃装置。
【請求項４】
前記清掃部材は、複数の清掃パッドにより構成されていることを特徴とする請求項１乃至請求項３のいずれかに記載の帯電器の清掃装置。
【請求項５】
前記複数の清掃パッドは、２個の清掃パッドであることを特徴とする請求項４に記載の帯電器の清掃装置。
【発明の詳細な説明】
【技術分野】
【０００１】
本発明は、デジタル複写機、ファクシミリ、プリンター等の画像形成装置に用いられる帯電器の清掃装置であって、帯電器が有する放電用ワイヤを清掃する清掃部材を有する帯電器の清掃装置に関する。
【背景技術】
【０００２】
図９は、一般に用いられているデジタル複写機、ファクシミリ、プリンター等の画像形成装置における画像形成装置本体内の主要部の構成を概略的に示す正面図である。当該主要部は、一方向（図中の矢印方向）に回転する感光体１、感光体１に対向するとともに、当該感光体１の上記回転方向に沿って配設された帯電ユニット２、現像ユニット３、転写ユニット４、分離ユニット５、及びクリーニングユニット６を備えている。
【０００３】
この様な構成のもとで、不図示の原稿読取部により、複写原稿の画像が読み取られ、これとともに図中の矢印方向に回転する感光体１の表面は帯電ユニット２により一様に帯電させられる。次いで、原稿読取部によって読み取られた画像に基づく光が、露光ユニット７により感光体１の表面に照射されてその画像の静電潜像が形成され、その後、現像ユニット３によりその静電潜像にトナーを付着させトナー像が形成される。
【０００４】
更に、用紙供給経路８を経由して感光体１と転写ユニット４との間に供給された用紙（不図示）上に、転写ユニット４により感光体１からトナー像が引き寄せられて転写される。その後、トナー像が転写された用紙は分離ユニット５により感光体１から分離されて、不図示の定着ユニットに搬送され、この定着ユニットによりそのトナー像が転写紙上に定着される。
【０００５】
一方、転写ユニット４によるトナー像転写後、感光体１の表面に残留するトナーは、クリーニングユニット６により完全に除去される。そして、残留トナーが除去された感光体１は、複数のＬＥＤ等で構成された除電ユニット９によりその表面の残留電荷が除去され、帯電ユニット２に至る。
【０００６】
この様な画像形成装置において、上述の動作を繰り返していると、トナー飛散や紙粉等により、帯電ユニット２、転写ユニット４、及び分離ユニット５等のコロナ帯電器に設けられた放電用ワイヤが汚れてくる。特に、トナーやグリースに含まれるシリコンと、放電により空気中に発生したオゾンとの反応により、シリカ（ＳｉＯ２）が発生し、これが放電用ワイヤに付着するといった問題が生じる。この様な汚れを放置しておくと、画像濃度の変化に伴う放電ムラ等が発生し、複写画質が低下するとともに、これらの帯電器の寿命が短くなってしまうという問題が生じてしまう。
【０００７】
そこで、これらのコロナ帯電器を定期的に清掃し、上記不都合を回避するために、様々な清掃装置が提案されている。例えば、清掃部材で放電用ワイヤの両側を挟み込み、清掃部材を保持する移動部材を放電用ワイヤの張架方向に沿って当該放電用ワイヤと略平行に移動させることにより、放電用ワイヤの清掃を行うものが提案されている（例えば、特許文献１参照）。
【０００８】
しかし、当該清掃装置においては、上述のごとく、清掃部材で放電用ワイヤの両側を挟み込み、清掃部材を放電用ワイヤの張架方向に沿って当該放電用ワイヤと略平行に移動させるものであるため、清掃を行う際の往復移動において、放電ワイヤに対する清掃部材の接触位置は、清掃装置の位置に関係なく、常に一定となる。従って、清掃部材は常に同一箇所で放電用ワイヤと接触することになるため、清掃部材が局所的に汚れるとともに、破損や変形が発生してしまい、結果として、清掃部材の寿命が短命化するとともに、安定した清掃効果が得られないという不都合が生じていた。又、往路で集めた放電ワイヤの汚れを復路で再び放電ワイヤに戻してしまうため、清掃効果が上がらず、結果として、汚れた放電ワイヤを定期的に交換しなければならないという問題が生じていた。
【０００９】
そこで、これらの不都合を解消すべく、清掃部材と放電ワイヤの接触位置を往路と復路で切り替える清掃装置が提案されている。より具体的には、当該清掃装置は、所定の角度で配置された複数の凹部を有する筒部と、当該筒部の中を回転自在に設けられ、突起を有する軸部、及び清掃部材と一体的に形成されたレバー部を備え、往路から復路への移行時又は復路から往路への移行時もしくはその双方において、清掃部材を任意の角度に回転させるとともに、軸部の突起を何れかの凹部と係合させて、清掃部材の回転を規制することにより、放電ワイヤと清掃部材の接触部分を往路と復路で切り替えて清掃を行うものである（例えば、特許文献２参照）。
【特許文献１】特開平３−４８８７１号公報（第５−６頁、第３−４図）
【特許文献２】特開２００３−１０７８５６号公報（第２−３頁、第１−２図）
【発明の開示】
【発明が解決しようとする課題】
【００１０】
しかし、上記従来の清掃装置においては、往路と復路を比較すると、放電ワイヤと清掃部材の接触部分は切り替わっているが、上述のごとく、往路から復路への移行時等において、清掃部材を任意の角度回転させ、その後、軸部の突起を何れかの凹部と係合させて、清掃部材の回転を規制する構成としているため、一旦、清掃部材が放電ワイヤと接触し、清掃が開始されると、清掃部材は再び回転できなくなり、往路、又は復路においては、放電ワイヤに対する清掃部材の接触位置は、結局、清掃装置の位置に関係なく、常に一定となってしまう。従って、往路、又は復路においては、清掃部材は常に同一箇所で放電用ワイヤと接触することになるため、清掃部材が局所的に汚れるとともに、破損や変形が比較的早期に発生し、結果として、清掃部材の寿命が短命化するとともに、安定した清掃効果が得られなくなるという不都合を解消することができないという問題があった。
【００１１】
又、上述のごとく、清掃部材を回転させるためには、多数の部品が必要になるため、コストがアップしてしまうとともに、清掃部材の構成が複雑化し、実状に沿わないという問題もあった。
【００１２】
本発明は、上記課題に鑑みてなされたものであり、少ないスペース、かつ簡単な構成で清掃部材の破損や変形を防止することにより、清掃部材の長寿命化を図ることができるとともに、長期に渡って安定した清掃効果を得ることができる帯電器の清掃装置を提供することを目的とする。
【課題を解決するための手段】
【００１３】
上記目的を達成するために、本発明は、帯電器のシールドケースに張架された放電用ワイヤと当接し、往復移動により放電用ワイヤを清掃する清掃部材を備える帯電器の清掃装置において、清掃部材を、放電用ワイヤの張架方向に対して斜め方向に往復移動させることを特徴とする。
【００１４】
ここで、本発明においては、清掃部材の移動方向は、シールドケースの底面と略平行な面内に設定されているものとすることができる。
【００１５】
又、本発明においては、清掃部材を往復移動させるための移動部材を更に備えるとともに、シールドケースには、移動部材をガイドするための開口部が、放電用ワイヤの張架方向に直交するシールドケースの短手方向において所定の角度傾けて形成されており、清掃部材が開口部に沿って往復移動するものとすることができる。
【００１６】
更に、本発明においては、清掃部材は、複数の清掃パッドにより構成されているものとすることができ、更に、複数の清掃パッドは、２個の清掃パッドであるものとすることができる。
【発明の効果】
【００１７】
本発明によれば、清掃部材を、放電用ワイヤの張架方向に対して斜め方向に往復移動させる構成としており、特に、清掃部材の移動方向を、シールドケースの底面と略平行な面内に設定しているため、往路、及び復路において、放電用ワイヤと清掃パッド部材の当接位置を変化させることが可能になる。従って、放電用ワイヤの清掃を行う際に、当該放電用ワイヤと当接する清掃部材を均一に使用することが可能になるため、清掃部材の同一箇所が局所的に汚れるのを回避することができ、清掃部材の破損や変形の発生を効果的に防止することができる。又、清掃部材の長寿命化を図ることが可能になるとともに、長期に渡って、安定した清掃効果を得ることが可能になる。
【００１８】
又、本発明によれば、清掃部材を往復移動させるための移動部材を更に備えるとともに、シールドケースには、移動部材をガイドするための開口部が、放電用ワイヤの張架方向に直交するシールドケースの短手方向において所定の角度傾けて形成されており、清掃部材が開口部に沿って往復移動する構成としているため、部品点数を増やすことなく、当該放電用ワイヤと当接する清掃部材を均一に使用することが可能になるため、コストアップを抑えることが可能になる。又、少ないスペース、かつ簡単な構成で、清掃部材の長寿命化を図ることが可能になるとともに、長期に渡って、安定した清掃効果を得ることが可能になる。
【発明を実施するための最良の形態】
【００１９】
以下、図面を参照して、本発明の実施形態を詳細に説明する。図１は、本発明の実施形態に係る帯電器の清掃装置が装着された帯電ユニットの全体構成を示す斜視図であり、図２は、本発明の実施形態に係る帯電器の清掃装置を示す正面図であり、図３は、本発明の実施形態に係る帯電器の清掃装置が装着された帯電ユニットの全体構成を示す側面図であり、図４は、図３の要部側面図である。尚、本実施形態は、帯電ユニット、転写ユニット、及び分離ユニット等のコロナ帯電器のうち、帯電ユニットを例にとって適用したものであり、転写ユニット、及び分離ユニット等の他のコロナ帯電器にも適用可能であることは言うまでもない。
【００２０】
図１に示す様に、帯電ユニット２のシールドケース１０には、当該シールドケース１０に設けられた前側ハウジング１１から後側ハウジング１２へ向けて、放電用ワイヤ１３が張架されている。この放電用ワイヤ１３は、図示しない所定の電源と接続されており、図９において示した感光体１に向けて放電行い、感光体１の表面を一様に帯電する。
【００２１】
又、本実施形態にかかる清掃装置１４は、帯電ユニット２が有する放電用ワイヤ１３と当接する清掃部材１５と、清掃部材１５を保持する保持部材１６と、保持部材１６が取り付けられるとともに、清掃部材１５を往復移動させるための移動部材１７とから構成されている。
【００２２】
より詳しくは、図２に示す様に、保持部材１６は、保持用ホルダー１６ａ、１６ｂにより構成されており、又、清掃部材１５は、２個の清掃用パッド１５ａ、１５ｂにより構成されている。これらの清掃部材１５ａ、１５ｂは、保持用ホルダー１６ａ、１６ｂの各内面に保持され、保持用部材１６内に収納されている。尚、２個の清掃用パッド１５ａ、１５ｂは、図２において示す様に、清掃用パッド１５ａが略長方形の断面形状を有するとともに、清掃用パッド１５ｂが略台形の断面形状を有するものであり、例えば、不織布や、合成皮、ポリウレタンゴム等の弾性体により形成されている。
【００２３】
又、図２、図４に示す様に、保持用ホルダー１６ｂには略円柱形状を有するピン１６ｃが形成されており、当該ピン１６ｃを、移動部材１７の上側突起部１７ａに形成された穴部１７ｂに係合させ、清掃部材１５、及び当該清掃部材１５を保持する保持部材１６を移動部材１７に対し回動自在に支持させる構成となっている。これは、放電用ワイヤ１３は微細な金属線であるため、清掃時に当該放電用ワイヤ１３を断線させたり、傷つけたりするのを回避するために、移動部材１７を放電用ワイヤ１３の張架方向（即ち、帯電ユニット２の長手方向）に移動させる際に、清掃部材１５を保持する保持部材１６の動きに柔軟性を持たせるためである。
【００２４】
又、図１、図２に示す様に、シールドケース１０の底板部１８には、清掃装置１４を移動させるための開口部である長孔１９が形成されており、移動部材１７に形成された溝部１７ｃを当該長孔１９の両端の底板部１８に嵌合し、移動部材１７を長孔１９に装着することにより、移動部材１７が長孔１９によりガイドされて、当該長孔１９に沿って移動するため、清掃部材１７が当該長孔１９に沿って往復移動し、放電用ワイヤ１３の清掃を行うことができる構成となっている。尚、本実施形態においては、図２〜図４に示す様に、清掃装置１４（即ち、清掃部材１５）の移動方向は、シールドケースの１０の底面（即ち、底板部１８）と略平行な面内に設定されている。
【００２５】
清掃装置１４をシールドケース１０に装着する際には、図２、図４に示す様に、まず、保持用ホルダー１６ｂの内周面に清掃用パッド１５ｂを保持させ、当該保持用ホルダー１６ｂの下側に突出して形成された突起部１６ｄを移動部材１７の作動板１７ｄに形成された穴部１７ｇに挿通するとともに、ピン１６ｃを上側突起部１７ａに形成された穴部１７ｂに係合させ、保持用ホルダー１６ｂを移動部材１７に対し回動自在に保持した状態にする。次いで、移動部材１７に形成された溝部１７ｃを長孔１９の両端の底板部１８に嵌合し、移動部材１７を長孔１９に装着する。そして、清掃用パッド１５ａを保持用ホルダー１６ａの内周面に配置し、各清掃用パッド１５ａ、１５ｂが放電用ワイヤ１３を挟み込む様に、上記保持用ホルダー１６ａを保持用ホルダー１６ｂに装着する。この際、各清掃用パッド１５ａ、１５ｂは、放電用ワイヤ１３を押圧した状態で、当該放電用ワイヤ１３に当接する。本実施形態においては、この様な手順により、図１、図３に示した状態が達成される。
【００２６】
尚、本実施形態においては、移動部材１７の駆動手段としてモータを使用している。即ち、図１、図３に示す様に、シールドケース１０に設けられた前側ハウジング１１の下方に、駆動用モータ２０を設け、放電用ワイヤ１３の張架方向に設けられたスパイラル形状を有するネジ２１を当該モータ２０に接続する。そして、図２に示す移動部材１７の下部に設けられた作動板１７ｄが有する略円柱形状の突起部１７ｅに形成されたネジ孔１７ｆを当該ネジ２１に挿入し、モータ２０を駆動することにより、移動部材１７を上述の長孔１９に沿って移動させ、放電用ワイヤ１３の清掃を行う構成となっている。尚、上記ネジ２１の代わりに駆動式のワイヤを用いる構成としても良い。
【００２７】
ここで、本実施形態においては、清掃装置１４を長孔１９に沿って移動させる際の、当該清掃装置１４の移動方向に特徴がある。以下に、図面を用いて詳しく説明する。
【００２８】
図５は、本発明の実施形態に係る帯電器の清掃装置におけるシールドケースを示す上面図であり、図６〜図８は、本発明の実施形態に係る帯電器の清掃装置における清掃機構を説明するための概略図である。
【００２９】
上述のごとく、シールドケース１０の底板部１８には、移動部材１７をガイドするとともに、清掃装置１４を移動させるための長孔１９が形成されているが、本実施形態においては、図５に示す様に、当該長孔１９が、放電用ワイヤ１３の張架方向Ｘに直交するシールドケース１０の短手方向Ｙにおいて、所定の角度（即ち、角度θ）傾けて形成されている。即ち、図６〜図８に示す様に、上記短手方向Ｙにおいて、前側ハウジング１１から後側ハウジング１２にかけて（即ち、放電用ワイヤ１３の張架方向Ｘに対して）、角度θ傾けて形成されている。
【００３０】
従って、清掃装置１４を長孔１９に沿ってシールドケース１０の底面と略平行な面内において移動させると、放電用ワイヤ１３に当接する清掃パッド１５ａ、１５ｂが、シールドケース１０の底面と略平行に移動するとともに、上記短手方向Ｙにおいて、当該放電用ワイヤ１３の張架方向Ｘに対して斜めに移動することになるため、放電用ワイヤ１３と清掃パッド１５ａ、１５ｂの当接位置を変化させることが可能になる。
【００３１】
即ち、図６（ａ）に示す様に、清掃装置１４は、清掃開始時には、ホームポジションに（即ち、後側ハウジング１２に近接して）位置しており、この場合、図６（ｂ）に示す様に、各清掃用パッド１５ａ、１５ｂに挟み込まれた放電用ワイヤ１３は、清掃用パッド１５ａ、１５ｂの右端側と当接した状態にある。
【００３２】
次に、清掃装置１４を、上記ホームポジションの位置から、図７（ａ）に示すシールドケース１０の中央部付近まで移動させると、上述のごとく、放電用ワイヤ１３に当接する清掃パッド１５ａ、１５ｂが、シールドケース１０の底面と略平行な面内において移動するとともに、上記短手方向Ｙにおいて、当該放電用ワイヤ１３の張架方向Ｘに対して斜めに移動するため、当該清掃パッド１５ａ、１５ｂが、放電用ワイヤ１３との当接位置を変化させながらシールドケース１０の底面と略平行に移動することになり、シールドケース１０の中央部付近においては、図７（ｂ）に示す様に、各清掃用パッド１５ａ、１５ｂに挟み込まれた放電用ワイヤ１３は、清掃用パッド１５ａ、１５ｂの中央部と当接した状態となる。
【００３３】
次に、清掃部材１４を、上記中央部の位置から、図８（ａ）に示すシールドケース１０の前側ハウジング１１付近まで移動させると、放電用ワイヤ１３に当接する清掃パッド１５ａ、１５ｂが、シールドケース１０の底面と略平行な面内において移動するとともに、上記短手方向Ｙにおいて、当該放電用ワイヤ１３の張架方向Ｘに対して更に斜めに移動するため、当該清掃パッド１５ａ、１５ｂが、放電用ワイヤ１３との当接位置を更に変化させながらシールドケース１０の底面と略平行に移動することになり、シールドケース１０の前側ハウジング１１付近においては、図８（ｂ）に示す様に、放電用ワイヤ１３は、清掃用パッド１５ａ、１５ｂの左端部と当接した状態となる。以上で、往路における清掃装置１４の動作が終了する。
【００３４】
次いで、復路における清掃装置１４の動作が開始されるが、まず、駆動用モータ２０が逆転することにより、清掃装置１４が逆方向に移動を始める。そうすると、清掃装置１４は、上述の往路の場合とは逆向きに移動し、図８（ａ）に示した状態から図７（ａ）の状態を経由して、図６（ａ）に示したホームポジションへと移動する。この際、放電用ワイヤ１３は、図８（ｂ）に示した、清掃用パッド１５ａ、１５ｂの左端部と当接した状態から、図６（ｂ）に示した、清掃用パッド１５ａ、１５ｂの右端部と当接した状態へと変化する。以上で、復路における清掃装置の動作が終了する。
【００３５】
以上に説明した様に、本実施形態においては、長孔１９を、放電用ワイヤ１３の張架方向Ｘに直交するシールドケース１０の短手方向Ｙにおいて、所定の角度（即ち、角度θ）傾けて形成させる構成としているため、放電用ワイヤ１３に当接する清掃パッド１５ａ、１５ｂが、シールドケース１０の底面と略平行な面内において移動するとともに、上記短手方向Ｙにおいて、当該放電用ワイヤ１３の張架方向Ｘに対して斜めに移動することになり、往路、及び復路において、放電用ワイヤ１３と清掃パッド１５ａ、１５ｂの当接位置を変化させながら、清掃パッド１５ａ、１５ｂを移動させることが可能になる。従って、放電用ワイヤ１３の清掃を行う際に、当該放電用ワイヤ１３と当接する清掃パッド１５ａ、１５ｂの全面（即ち、放電用ワイヤ１３と当接可能な、清掃パッド１５ａの下面と清掃パッド１５ｂの上面）を均一に使用することが可能になるため、清掃部材１５の同一箇所が局所的に汚れるのを回避することができるとともに、当該清掃部材１５の破損や変形の発生を効果的に防止することが可能になり、結果として、清掃部材１５の長寿命化を図ることが可能になるとともに、長期に渡って、安定した清掃効果を得ることが可能になる。
【００３６】
又、長孔１９を、放電用ワイヤ１３の張架方向Ｘに直交するシールドケース１０の短手方向Ｙにおいて、所定の角度傾けて形成させる構成としているため、部品点数を増やすことなく、放電用ワイヤ１３と当接する清掃部材１５を均一に使用することが可能になるため、コストアップを抑えることが可能になる。又、少ないスペース、かつ簡単な構成で、清掃部材の長寿命化を図ることが可能になるとともに、長期に渡って、安定した清掃効果を得ることが可能になる。
【００３７】
尚、上記実施形態は、単なる説明例であり、本発明の範囲は、上記実施形態に限定されるものではなく、本発明の趣旨に基づいて各構成物品の形状、寸法、材料等を変更することが可能であり、それらを本発明の範囲から除外するものではない。
【００３８】
例えば、上記実施形態においては、２個の清掃パッド１５ａ、１５ｂにより清掃部材１５を構成したが、往路、及び復路において、放電用ワイヤ１３と清掃パッド１５ａ、１５ｂの当接位置を変化させることが可能であれば、１個、又は、３個以外の複数の清掃用パッドにより清掃部材１５を構成しても良い。
【産業上の利用可能性】
【００３９】
本発明の活用例としては、デジタル複写機、ファクシミリ、プリンター等の画像形成装置に用いられる帯電器の清掃装置であって、帯電器が有する放電用ワイヤを清掃する清掃部材を有する帯電器の清掃装置が挙げられる。
【図面の簡単な説明】
【００４０】
【図１】本発明の実施形態に係る帯電器の清掃装置が装着された帯電ユニットの全体構成を示す斜視図である。
【図２】本発明の実施形態に係る帯電器の清掃装置を示す正面図である。
【図３】本発明の実施形態に係る帯電器の清掃装置が装着された帯電ユニットの全体構成を示す側面図である。
【図４】図３の要部側面図である。
【図５】本発明の実施形態に係る帯電器の清掃装置におけるシールドケースを示す上面図である。
【図６】本発明の実施形態に係る帯電器の清掃装置における清掃機構を説明するための概略図である。
【図７】本発明の実施形態に係る帯電器の清掃装置における清掃機構を説明するための概略図である。
【図８】本発明の実施形態に係る帯電器の清掃装置における清掃機構を説明するための概略図である。
【図９】画像形成装置における画像形成装置本体内の主要部の構成を概略的に示す正面図である。
【符号の説明】
【００４１】
１        感光体
２        帯電ユニット
３        現像ユニット
４        転写ユニット
５        分離ユニット
６        クリーニングユニット
７        露光ユニット
８        用紙供給経路
１０      シールドケース
１１      前側ハウジング
１２      後側ハウジング
１３      放電用ワイヤ
１４      清掃装置
１５      清掃部材
１６      保持部材
１７      移動部材
１７ｃ    溝部
１７ｄ    作動板
１７ｅ    突起部
１７ｆ    ネジ孔
１８      シールドケースの底板部
１９      長孔
２０      駆動用モータ
２１      ネジ
【図１】
2005234022.tif 000003
【図２】
2005234022.tif 000004
【図３】
2005234022.tif 000005
【図４】
2005234022.tif 000006
【図５】
2005234022.tif 000007
【図６】
2005234022.tif 000008
【図７】
2005234022.tif 000009
【図８】
2005234022.tif 000010
【図９】
2005234022.tif 000011